(57)【要約】      （修正有）【課題】記録ヘッドに帯状の信号ケーブルが接続された構成を有する記録装置において、信号ケーブルの面内の方向における傾きや振れを抑制する。【解決手段】主走査方向に往復移動されるキャリッジ２１に記録ヘッド２０を搭載し、記録ヘッド２０にフレキシブルフラットケーブル６１が接続された構成において、フレキシブルフラットケーブル６１は主走査方向に沿ってキャリッジ２１に延び、キャリッジ２１に支持されて下方に向きを転じて記録ヘッド２０に接続され、キャリッジ２１は、フレキシブルフラットケーブル６１の折り返し部６２において、フレキシブルフラットケーブル６１の外側の端に接する突起７１と、折り返し部６２において、フレキシブルフラットケーブル６１の内側の端に接する突起７２と、を備えている。【選択図】図７
2009101619.tif 000002
【特許請求の範囲】
【請求項１】
主走査方向に往復移動されるキャリッジと、前記キャリッジに搭載される記録ヘッドと、前記記録ヘッドに接続される帯状の信号ケーブルとを備え、
前記信号ケーブルは前記主走査方向に沿って前記キャリッジに延び、前記キャリッジに支持されて下方に向きを転じて前記記録ヘッドに接続され、
前記キャリッジには、前記信号ケーブルの転向部において前記信号ケーブルの外側の端に接する第１の突起と、前記転向部において前記信号ケーブルの内側の端に接する第２の突起とが設けられたこと、
を特徴とする記録装置。
【請求項２】
前記信号ケーブルの前記転向部は、前記信号ケーブルが折り返されて形成され、
前記第１の突起は、前記信号ケーブルの折り返し部で前記信号ケーブルの外側に形成される斜辺に接し、前記第２の突起は、前記折り返し部で前記信号ケーブルの内側に形成される角部において前記信号ケーブルに接すること、
を特徴とする請求項１記載の記録装置。
【請求項３】
前記信号ケーブルは、前記主走査方向から略直角に折り返され、
前記第１の突起には、前記信号ケーブルの折り返し部の外側に形成される略４５度の斜辺に対し、所定長さにわたって接する当接面が形成されたこと、
を特徴とする請求項２記載の記録装置。
【請求項４】
前記第１の突起及び前記第２の突起のうち、少なくとも一方の突起の先端には、前記信号ケーブルの厚み方向から前記信号ケーブルを押さえる押さえ片が形成されたこと、
を特徴とする請求項請求項１から３のいずれかに記載の記録装置。
【請求項５】
前記キャリッジは、前記第１の突起及び前記第２の突起とは別体として構成され、前記信号ケーブルを、その厚み方向から押さえるガイド部を備えること、
を特徴とする請求項１から４のいずれかに記載の記録装置。
【請求項６】
前記キャリッジの本体と、前記第１の突起及び前記第２の突起とが一体に成形されたこと、
を特徴とする請求項請求項１から５のいずれかに記載の記録装置。
【請求項７】
帯状の信号ケーブルが接続された記録ヘッドを搭載し、主走査方向に往復移動するキャリッジにおいて、
前記信号ケーブルが前記主走査方向に沿って前記キャリッジに延び、前記キャリッジに支持されて下方に向きを転じて前記記録ヘッドに接続され、
前記キャリッジには、前記信号ケーブルの転向部において前記信号ケーブルの外側の端に接する第１の突起と、前記転向部において前記信号ケーブルの内側の端に接する第２の突起とが設けられたこと、
を特徴とする記録装置のキャリッジ構造。
【発明の詳細な説明】
【技術分野】
【０００１】
本発明は、記録ヘッドに信号を送信する信号ケーブルを備えた記録装置、及び、この記録装置のキャリッジ構造に関する。
【背景技術】
【０００２】
従来、キャリッジ軸に沿って自在に移動するキャリッジに記録ヘッドが搭載された記録装置において、記録ヘッドに接続されるフレキシブル基板等で構成される帯状の信号ケーブルを、キャリッジに設けられた保持部によって保持するものが知られている。このような記録装置においては、記録動作時に、キャリッジの移動に伴って記録ヘッドに接続された信号ケーブルのバタツキ等が発生することがある。この点に鑑み、例えば、記録ヘッドに接続されたフレキシブル基板のバタツキ等を抑えるための構造を備えた記録装置が提案された（例えば、特許文献１参照）。特許文献１に開示された構成では、記録装置にフレキシブル基板（信号ケーブル）を屈曲させて収めた場合に、記録ヘッドの近傍でフレキシブル基板の屈曲部を押さえる板を設け、フレキシブル基板の屈曲部の曲率が変化することによるバタツキを規制している。
【特許文献１】特開平０９−１０９５０８号公報
【発明の開示】
【発明が解決しようとする課題】
【０００３】
ところで、記録ヘッドの移動に伴う信号ケーブルの傾きや振れは、信号ケーブルの面内における向きにも発生する。この傾きや振れが大きいと、信号ケーブルと記録ヘッドとのコネクタ等に負荷が加わり、信号ケーブルやコネクタを含む各部の劣化が早まるおそれがあった。
【０００４】
そこで本発明は、記録ヘッドに帯状の信号ケーブルが接続された構成を有する記録装置において、信号ケーブルの面内方向における傾きや振れを抑制することを目的とする。
【課題を解決するための手段】
【０００５】
上記課題を解決するため、本発明は、主走査方向に往復移動されるキャリッジと、前記キャリッジに搭載される記録ヘッドと、前記記録ヘッドに接続される帯状の信号ケーブルとを備え、前記信号ケーブルは前記主走査方向に沿って前記キャリッジに延び、前記キャリッジに支持されて下方に向きを転じて前記記録ヘッドに接続され、前記キャリッジには、前記信号ケーブルの転向部において前記信号ケーブルの外側の端に接する第１の突起と、前記転向部において前記信号ケーブルの内側の端に接する第２の突起とが設けられたことを特徴とする記録装置を提供する。
この構成によれば、記録ヘッドに接続される帯状の信号ケーブルが向きを変える部分において外側の端には第１の突起が接し、内側の端には第２の突起が接するので、これら第１及び第２の突起に挟まれて、信号ケーブルの面内における動きが制限される。特に第１の突起は転向部の外側の端に接するので、信号ケーブルの上及び横方向のいずれに対しても、信号ケーブルの動きを規制する。これにより、信号ケーブルの面内における動きに起因する傾きや振れを効果的に抑制できる。
【０００６】
上記構成において、前記信号ケーブルの前記転向部は、前記信号ケーブルが折り返されて形成され、前記第１の突起は、前記信号ケーブルの折り返し部で前記信号ケーブルの外側に形成される斜辺に接し、前記第２の突起は、前記折り返し部で前記信号ケーブルの内側に形成される角部において前記信号ケーブルに接する構成としても良い。
この場合、信号ケーブルの転向部が、信号ケーブルが折り返されて形成される構成において、信号ケーブルの折り返し部の外側に形成される斜辺には第１の突起が接し、折り返し部の内側の角部には第２の突起が接する。このため、第１の突起によって、折り返し部の外側方向の信号ケーブルの移動が規制され、第２の突起により、折り返し部の内側方向の信号ケーブルの移動が規制される。これにより、信号ケーブルの面内における移動が制限され、信号ケーブルの傾きや振れを抑制できる。
【０００７】
上記構成において、前記信号ケーブルは、前記主走査方向から略直角に折り返され、前記第１の突起には、前記信号ケーブルの折り返し部の外側に形成される略４５度の斜辺に対し、所定長さにわたって接する当接面が形成された構成としても良い。
この場合、キャリッジに支持されて折り返された信号ケーブルの外側には略４５度（Degree）の斜辺が形成され、この斜辺には第１の突起の当接面が所定長さにわたって接するので、第１の突起によって、信号ケーブルの上方向及び横方向への移動がより確実に、厳しく制限される。これにより、信号ケーブルの面内における動きを確実に抑制できる。
【０００８】
上記構成において、前記第１の突起及び前記第２の突起のうち、少なくとも一方の突起の先端には、前記信号ケーブルの厚み方向から前記信号ケーブルを押さえる押さえ片が形成された構成としても良い。
この場合、第１及び第２の突起の少なくとも一方に設けられた押さえ片により、信号ケーブルの厚み方向の動きが制限されるので、信号ケーブルの傾きや振れをより効果的に抑制できる。また、信号ケーブルが第１及び第２の突起から脱落するおそれがなくなり、信頼性の向上を図ることができる。
【０００９】
上記構成において、前記キャリッジは、前記第１の突起及び前記第２の突起とは別体として構成され、前記信号ケーブルを、その厚み方向から押さえるガイド部を備える。
この場合、第１の突起及び第２の突起とは別体として構成されたガイド部によって、信号ケーブルの厚み方向の動きが規制されるので、信号ケーブルの傾きや振れをより効果的に抑制できる。
【００１０】
上記構成において、前記キャリッジの本体と、前記第１の突起及び前記第２の突起とが一体に成形された構成としても良い。
この場合、キャリッジの本体に新たな部品を取り付ける必要がないことから、製造工程の工数や部品点数の増加を伴わず、低コストで容易に実現可能である。さらに、キャリッジの重量増を最小限に抑えることができ、キャリッジを駆動するモータ等への負荷増を考慮する必要がないという利点がある。
【００１１】
また、本発明は、帯状の信号ケーブルが接続された記録ヘッドを搭載し、主走査方向に往復移動するキャリッジにおいて、前記信号ケーブルが前記主走査方向に沿って前記キャリッジに延び、前記キャリッジに支持されて下方に向きを転じて前記記録ヘッドに接続され、前記キャリッジには、前記信号ケーブルの転向部において前記信号ケーブルの外側の端に接する第１の突起と、前記転向部において前記信号ケーブルの内側の端に接する第２の突起とが設けられたことを特徴とする記録装置のキャリッジ構造を提供する。
このキャリッジ構造によれば、記録ヘッドに接続される帯状の信号ケーブルが向きを変える部分において外側の端に第１の突起が接し、内側の端に第２の突起が接するので、これら第１及び第２の突起に挟まれて、信号ケーブルの面内における動きが制限されるので、信号ケーブルの面内における動きに起因する傾きや振れを効果的に抑制できる。
【発明の効果】
【００１２】
本発明によれば、記録ヘッドに接続される帯状の信号ケーブルの面内における傾きや振れを、効果的に抑制できる。
【発明を実施するための最良の形態】
【００１３】
以下、図面を参照して本発明の一実施の形態を説明する。
図１は、本発明の記録装置の実施形態に係るプリンタ１０の前方の外観を示す斜視図であり、図２は、プリンタ１０の側断面図であり、図３及び図４は、このプリンタ１０のフレーム構成を示す斜視図である。
このプリンタ１０は、複数の記録ワイヤを選択的に打ち出す記録ヘッド２０と、この記録ヘッド２０が搭載されるキャリッジ２１とを備え、記録ヘッド２０から打ち出された記録ワイヤを記録媒体（以下、シートという。）に打ち付けることによって文字を含む画像を記録するシリアルドットインパクトプリンタである。図２に示すように、このプリンタ１０は、大別すると、記録ユニットを構成するプリンタ本体１２と、トラクタユニット１３と、シートガイド１４とを備え、これらの上部及び下部が、図１に示すように、それぞれ上部ケース１５及び下部ケース１６で覆われる構成となっている。上記シートには、所定の長さに裁断されたカットシートと、複数枚が連結された連続シートとがある。カットシートとしては、例えば単票紙、複写紙、通帳又はカットフィルムなどがあり、連続シートとしては連続紙がある。
プリンタ本体１２は、記録機構部としての記録ヘッド２０、キャリッジ２１及びプラテン２２と、シート搬送機構部としての複数の搬送ローラ２３とを備えている。詳述すると、プリンタ本体１２は、図３及び図４に示すように、一対のサイドフレーム２５、２６の間に、背面フレーム２７、プラテン２２、キャリッジ軸２８、複数のローラ軸２３ａ、トラクタユニット１３などが架け渡され、キャリッジ軸２８にはキャリッジ２１が、各ローラ軸２３ａには搬送ローラ２３が設けられている。
【００１４】
背面フレーム２７は、キャリッジ軸２８よりも後方側において、左右のサイドフレーム２５、２６の間に立設される平板形状のフレームである。背面フレーム２７には、その下方に収容された制御基板部（図示略）から、上記記録ヘッド２０に延びるフレキシブルフラットケーブル６１を通すための貫通孔（図示略）を有し、この貫通孔を通って、背面フレームの後方から前方へフレキシブルフラットケーブル６１が通される。背面フレーム２７の前方側、すなわちキャリッジ２１側の面には、貫通孔を通ったフレキシブルフラットケーブル６１を固定するケーブルホルダ３７が取り付けられている。なお、制御基板部の機能については後述する。
フレキシブルフラットケーブル６１は、ケーブルホルダ３７から、キャリッジ軸２８に沿って、サイドフレーム２６に向けて延設され、Ｕ字形状のＵ字部３９を形成するようにいったん折り返されて、サイドフレーム２５側へ向かって延び、後述するようにキャリッジ２１に達する。フレキシブルフラットケーブル６１は、キャリッジ２１がキャリッジ軸２８に沿って移動する際に、Ｕ字部３９の位置及びＵ字部３９の曲率を変えながら、キャリッジ２１の移動に追従する。
【００１５】
トラクタユニット１３は、連続シートをシート搬送機構部へ供給するものであり、図４に示すように、左右一対のトラクタ３０を有する。
各トラクタ３０は、図２に示すように、トラクタ駆動プーリ３０ａと、トラクタ従動プーリ３０ｂと、これらプーリ３０ａ，３０ｂに巻き掛けられたトラクタベルト３１とを備え、駆動機構（図示略）によってトラクタ駆動プーリ３０ａを回転駆動し、トラクタベルト３１を駆動して連続シートを搬送する。
【００１６】
搬送ローラ２３は、プラテン２２に対してプリンタ本体１２の前方及び後方に、上下に対に配置されており、シート搬送モータ（図示略）と、該モータに連結され、サイドフレーム２５、２６の外側に配列された駆動輪列部４１とによって、図２の時計方向又は反時計方向に回転駆動される。これによって、シートを、プリンタ本体１２の前方（シートガイド１４側）から後方及び後方から前方へ搬送することができ、シートは、キャリッジ２１の主走査方向と直交する副走査方向に搬送される。
【００１７】
図５は、インクリボンカートリッジ２９を装着した状態を示す斜視図である。
このプリンタ本体１２には、ステーショナリー形式のインクリボンカートリッジ２９が着脱自在に装着され、このインクリボンカートリッジ２９のインクリボンが記録ヘッド２０とプラテン２２との間に繰り出される。また、インクリボンカートリッジ２９内のインクリボンは、リボンマスクホルダ５１と案内ピン５２との間に挟まれて繰り出される。
キャリッジ２１には、リボンマスクホルダ５１が設置され、リボンマスクホルダ５１はインクリボンカートリッジ２９内のインクリボンから、プラテン２２の上面に接して搬送されるシートを保護している。
【００１８】
図６は、キャリッジ２１の正面図である。
キャリッジ２１は、記録ヘッド２０が搭載されるキャリッジ本体２１ａ（キャリッジの本体）と、キャリッジ軸２８が挿通される軸受部としてのキャリッジブッシュ２１ｂとを備えている。そして、キャリッジ本体２１ａは、キャリッジ軸２８に直交するように上方向に延出する延出部２１ｃを備え、この延出部２１ｃの先端には、背面フレーム２７の上端部２７ａに接して摺動するスライダ部２１ｄが設けられている。そして、キャリッジ２１がキャリッジ軸２８に沿って摺動できるように、キャリッジブッシュ２１ｂとキャリッジ軸２８との間には隙間が設けられている。このキャリッジブッシュ２１ｂは、例えば焼結金属製の耐摩耗性材料で構成され、潤滑油が含浸され、この潤滑油でキャリッジブッシュ２１ｂとキャリッジ軸２８との間の摺動摩擦抵抗の低減が図られている。
また、キャリッジ２１には、記録ヘッド２０が搭載されているので、記録ヘッド２０及びキャリッジ２１の自重により、キャリッジ２１のスライダ部２１ｄが背面フレーム２７の上端部２７ａに押し付けられる。
キャリッジ軸２８がプラテン２２と平行に配置されるため、キャリッジ２１は、これらプラテン２２及びキャリッジ軸２８の軸方向と一致する主走査方向に走行（走査）可能である。
【００１９】
キャリッジ２１は、ステッピングモータにて構成されるキャリッジ駆動モータ（図示略）により駆動されるタイミングベルト４８（図３参照）に連結される。キャリッジ２１は、キャリッジ駆動モータの正転又は逆転により、タイミングベルト４８を介しキャリッジ軸２８及び背面フレーム２７の上端部２７ａに案内されて、上記キャリッジ軸２８の軸方向及びプラテン２２の長手方向と一致する主走査方向に走行（走査）する。
【００２０】
記録ヘッド２０は、キャリッジ２１と共に主走査方向に走行する間に、記録ワイヤを突出させてインクリボンに打ち当て、このインクリボンのインクを、プラテン２２と記録ヘッド２０との間に搬送されたシートに付着させ、該シートに文字を含む画像を記録する。
記録ヘッド２０による記録動作は、記録ヘッド２０がキャリッジ２１により主走査方向に移動される間に、記録ヘッド２０により一行分の記録がなされ、この一行分の記録がなされる度に、シート搬送機構部としての搬送ローラ２３（及びトラクタユニット１３）が連続シートを所定長だけ搬送させ、これらの動作が繰り返されて記録が実施される。この記録ワイヤの打ち出しは、プリンタ本体１２が備える制御基板部（図示略）から記録ヘッド２０に入力される記録信号に従い実行される。
【００２１】
制御基板部（図示略）は、ホストコンピュータ（図示略）からシートに記録すべき画像データが入力された場合に、この画像データに基づいてプリンタ１０のシート搬送モータ（図示略）、キャリッジ駆動モータ（図示略）、記録ヘッド２０等を制御する。この制御基板部は、信号ケーブルとしてのフレキシブルフラットケーブル（ＦＦＣ）６１を介して記録ヘッド２０に接続される。記録ヘッド２０には、記録ワイヤを駆動する記録信号がフレキシブルフラットケーブル６１を介して入力され、この記録信号に基づき、記録ヘッド２０は、記録ワイヤを突出させてシートに画像を記録する。フレキシブルフラットケーブル６１は、上述のように、プリンタ１０の内部を取り回されて保持部材としてのケーブルホルダ３７により保持され、Ｕ字形状に折り返されたＵ字部３９を形成して、キャリッジ２１に達する。
【００２２】
図７は、キャリッジ２１の斜視図である。図８は、フレキシブルフラットケーブル６１を取り外した状態のキャリッジ２１を背面側から見た斜視図である。また、図９は、フレキシブルフラットケーブル６１の支持状態を示す斜視図である。
フレキシブルフラットケーブル６１の先端は、記録ヘッド２０が備えるコネクタ（図示略）に差し込まれて接続される。フレキシブルフラットケーブル６１は、帯状の可撓性及び弾性を有するケーブルであり、上記のようにＵ字部３９の位置及び曲率を変化させながら記録ヘッド２０の移動に追従する。さらに、記録ヘッド２０の走査時にフレキシブルフラットケーブル６１の振れが発生しないよう、フレキシブルフラットケーブル６１はキャリッジ２１により支持され、その動きが制限されるようになっている。
【００２３】
キャリッジ２１の延出部２１ｃには、正面からみて略矩形の開口７０が形成されている。フレキシブルフラットケーブル６１は、主走査方向に沿ってキャリッジ２１に達し、延出部２１ｃの側面からキャリッジ２１の内部に入り、延出部２１ｃの開口７０まで延びて、開口７０の内部で略直角に下方向に折り返される。ここでフレキシブルフラットケーブル６１は向きを下向きに転じ、下方に延びて記録ヘッド２０に接続される。
フレキシブルフラットケーブル６１の折り返し部６２の外側の端には、主走査方向に対して略４５度（Degree）の傾きを有する斜辺６２ａが形成され、折り返し部６２の内側の端には、フレキシブルフラットケーブル６１の側端同士がほぼ直交する直交部６２ｂが形成される。また、折り返し部６２の厚みはフレキシブルフラットケーブル６１の２枚分に相当する。
なお、フレキシブルフラットケーブル６１の向きを転じる部分では、フレキシブルフラットケーブル６１を折り返してもよいし、平面内で弧を描くように曲がる転向部を設けてもよい。
【００２４】
開口７０の図中右側の縁には、開口７０に向かって斜め下方向に延びる突起７１（第１の突起）が立設されている。突起７１は途中で曲がって向きを変え、図中符号Ａで示す曲がり部から先の部分は水平に延びる押さえ片７１ａとなっている。曲がり部Ａを境にして、押さえ片７１ａの厚みは突起７１の厚みより一段薄くなっており、この段差の側面を当接面７１ｂとする。
押さえ片７１ａは開口７０のほぼ中央まで延びており、フレキシブルフラットケーブル６１の折り返し部６２を、キャリッジ２１の正面側から押さえる作用を有する。また、突起７１の当接面７１ｂは、図８に示すように、水平面に対してほぼ４５度の角度をなしている。この当接面７１ｂは、フレキシブルフラットケーブル６１の折り返し部６２に形成される斜辺６２ａに、当接面７１ｂのほぼ全部にわたって当接する。この当接面７１ｂが斜辺６２ａに当接することで、フレキシブルフラットケーブル６１は、フレキシブルフラットケーブル６１の面内において上方向及び横方向に移動できなくなる。
また、フレキシブルフラットケーブル６１の前側には押さえ片７１ａが位置し、背面側にはスライダ部２１ｄに立設された受け部７４が位置している。このため、フレキシブルフラットケーブル６１は、押さえ片７１ａと受け部７４とによって挟まれて支持される。
【００２５】
さらに、キャリッジ２１の延出部２１ｃには、フレキシブルフラットケーブル６１の折り返し部６２を挟んで突起７１と対向する位置、すなわち、直交部６２ｂの近傍に、突起７２（第２の突起）が立設されている。突起７２は略四角柱形状の突起であり、その高さは、フレキシブルフラットケーブル６１の厚みに比較して十分な高さである。突起７２の上側の側面７２ａ及び右側の側面７２ｂは、それぞれ直交部６２ｂにおいてフレキシブルフラットケーブル６１の側端に当接する。この突起７２の上側の側面７２ａ及び右側の側面７２ｂにより、フレキシブルフラットケーブル６１の面内での動きが制限される。
【００２６】
このように、突起７１の当接面７１ｂと突起７２によって、フレキシブルフラットケーブル６１が、折り返し部６２で両端から挟まれている。当接面７１ｂと斜辺６２ａとは４５度の傾斜面であるため、１つの面で接していても２方向の移動が制限される。このため、フレキシブルフラットケーブル６１が面内で移動しようとした場合、上向き及び正面視で右向きへの移動は突起７１の当接面７１ｂにより規制され、下向き及び正面視で左向きへの移動は突起７２により規制される。従って、フレキシブルフラットケーブル６１の面内における移動が抑制されるので、この面内における動きに起因する傾きや振れを効果的に抑制できる。
このように、フレキシブルフラットケーブル６１は、突起７１の押さえ片７１ａとガイド部７３とにより、その厚み方向（前後方向）の移動が制限され、当接面７１ｂと、突起７２の側面７２ａ、７２ｂとによる移動の制限と合わせると、６方向の移動が制限されているので、フレキシブルフラットケーブル６１の傾きや振れの発生を抑制することができ、記録ヘッド２０が備えるコネクタ（図示略）等の劣化や接続不良の発生等を確実に防止できる。また、キャリッジ２１の走査時におけるフレキシブルフラットケーブル６１の振れが抑制されるため、記録動作の安定性が向上できるという利点がある。
【００２７】
ここで、当接面７１ｂと突起７２とは、フレキシブルフラットケーブル６１を挟んだ状態でわずかな遊びを生じる位置にある。突起７１及び突起７２とフレキシブルフラットケーブル６１との接触面積は、大きいほどフレキシブルフラットケーブル６１を安定して支持できるが、大きすぎると組立性が低下するため、支持の安定性及び組立性を考慮した長さにすることが好ましい。また、当接面７１ｂが斜辺６２ａに接する位置は、斜辺６２ａの中央から大きく外れないことが好ましい。なお、図中において突起７２の側面に現れた切り欠きはねじ穴の逃げである。
【００２８】
キャリッジ２１は、例えばアルミ合金（ダイキャスト）製であり、突起７１及び突起７２は、キャリッジ２１と共に一体に成形される。このため、キャリッジ２１に新たな部品を取り付ける必要がないので、突起７１、７２は、製造工程の工数や部品点数の増加を伴わず、低コストで容易に実現可能である。さらに、キャリッジ２１の重量増を最小限に抑えることができ、キャリッジ駆動モータ（図示略）等への負荷増を考慮する必要がないという利点がある。
【００２９】
以上説明したように、本発明を適用した実施形態によれば、キャリッジ２１が、フレキシブルフラットケーブル６１の折り返し部６２に形成された斜辺６２ａに当接する突起７１と、折り返し部の直交部６２ｂに当接する突起７２とを備え、フレキシブルフラットケーブル６１の面内における移動を制限するので、キャリッジ２１の走査時におけるフレキシブルフラットケーブル６１の傾きや振れの発生が抑制できる。
また、斜辺６２ａが略４５度に形成され、この斜辺６２ａに対応して突起７１の当接面７１ｂがほぼ４５度に形成されるので、フレキシブルフラットケーブル６１の上方向及び横方向の移動が確実に制限される。
【００３０】
また、突起７１に設けられた押さえ片７１ａにより、フレキシブルフラットケーブル６１が厚み方向から押さえられるため、フレキシブルフラットケーブル６１の厚み方向への動きを抑制できる。さらに、キャリッジ２１が突起７１、７２とは別体に設けられたガイド部７３を備え、ガイド部７３が、厚み方向からフレキシブルフラットケーブル６１を押さえるため、フレキシブルフラットケーブル６１の厚み方向への動きが、より確実に抑制される。
【００３１】
なお、上記実施の形態は本発明を適用した一態様を示すものであって、本発明は上記実施の形態に限定されない。例えば、上記実施の形態では、フレキシブルフラットケーブル６１が折り返されて略直角に向きを変える構成について説明したが、本発明はこれに限定されるものではなく、フレキシブルフラットケーブル６１の折り返し部６２における角度は任意であり、折り返し部６２の斜辺６２ａ及び直交部６２ｂにあたる角度が上記実施の形態と異なっても良い。この場合、突起７１、７２の形状が、折り返し部６２におけるフレキシブルフラットケーブル６１の形状に合わせて構成されていればよい。その他、細部構成についても任意に変更可能であることは勿論である。
また、上記実施の形態においては、本発明をシリアルドットインパクトプリンタに適用した構成を例に挙げて説明したが、本発明はこれに限定されるものではなく、往復走査されるキャリッジに搭載されたヘッドからインクを吐出するインクジェット式プリンタ、インクを昇華させることにより記録媒体にインクを付着させる昇華型プリンタ、発熱体を有する記録ヘッドを走査させることにより記録媒体を加熱して画像を記録するサーマルプリンタ、発熱体を有する記録ヘッドによりインクを溶融させて記録媒体に付着させる熱転写型プリンタなど、記録ヘッドを走査させて画像を記録する全ての記録装置、及び、この記録装置を内蔵又は一体型として備える電子機器に、広く適用可能である。
【図面の簡単な説明】
【００３２】
【図１】実施の形態に係るプリンタを示す斜視図である。
【図２】プリンタの側断面視図である。
【図３】インクリボンカートリッジを外したフレーム構成を示す斜視図である。
【図４】図３のフレーム構成をトラクタユニット側から見て示す斜視図である。
【図５】インクリボンカートリッジを装着した状態を示す斜視図である。
【図６】キャリッジの正面図である。
【図７】キャリッジの斜視図である。
【図８】キャリッジを背面側から見た斜視図である。
【図９】フレキシブルフラットケーブルの支持状態を示す斜視図である。
【符号の説明】
【００３３】
１０…プリンタ（記録装置）、２０…記録ヘッド、２１…キャリッジ、２１ａ…キャリッジ本体、２１ｃ…延出部、２１ｄ…スライダ部、２８…キャリッジ軸、６１…フレキシブルフラットケーブル、６２…折り返し部、６２ａ…斜辺部、６２ｂ…直交部、７１…突起（第１の突起）、７１ａ…押さえ片、７１ｂ…当接面、７２…突起（第２の突起）、７２ａ…上側面、７２ｂ…右側面、７３…ガイド部、７４…受け部。
【図１】
2009101619.tif 000003
【図２】
2009101619.tif 000004
【図３】
2009101619.tif 000005
【図４】
2009101619.tif 000006
【図５】
2009101619.tif 000007
【図６】
2009101619.tif 000008
【図７】
2009101619.tif 000009
【図８】
2009101619.tif 000010
【図９】
2009101619.tif 000011